(57)【要約】　　　（修正有）【課題】プランジャの制御機構を内蔵することによって、外部からは容易に開閉操作をできないようにした止水栓を提供する。【解決手段】弁体１または／およびスピンドル４に爪５または孔からなる係合手段を設けると共に、本体側には少なくとも閉弁位置において前記係合手段と係合可能に出入するプランジャ１１を設けた。従って、プランジャを突出して爪もしくは孔と係合させることにより弁体または／およびスピンドルの動きを規制し、少なくとも閉弁状態を維持する。プランジャの施錠手段を設けた。従って、プランジャの出入操作は該施錠手段によって規制される。そして、プランジャを施錠手段のロック・解除キー１０と連動して出入動作させるようにしたので、該キーによる操作によって閉弁ロックまたは解除を行うことができる。【選択図】　　　　　図１
2004011880.tif 000002
【特許請求の範囲】
【請求項１】
弁体または／およびスピンドルにロック爪またはロック孔からなる係合手段を設けると共に、本体側には閉弁位置または／および開弁位置において前記係合手段と係合可能に出入するプランジャを設けたことを特徴とする水栓の開閉制御機構。
【請求項２】
スピンドル側本体にロック孔を設けると共に、スピンドルには閉弁位置または／および開弁位置において前記ロック孔に係合可能に出入するプランジャを設けたことを特徴とする水栓の開閉制御機構。
【請求項３】
プランジャは施錠手段のロック・解除キーと連動して出入させる請求項１または２記載の水栓の開閉制御機構。
【発明の詳細な説明】
【０００１】
【発明の属する技術分野】
この発明は、無断あるいは不用意な弁の開閉操作を規制する機構を備えた水栓に関するものである。
【０００２】
【従来の技術】
従来、止水栓において盗水を防止する手段としては、ハンドルをスピンドル（弁軸）から分離するタイプと（例えば実用新案登録第２５２３３５２号公報参照）、ハンドルをカバーで覆い、該カバーを南京錠を使って施錠するタイプのものがあった（例えば特開２００１−３２９５８１公報参照）。前者によれば、ハンドルを分離して弁軸を操作できないようにすることによって盗水を防止するもので、さらにハンドルと弁軸の結合部を特殊な係合形状とすることによって、該ハンドル以外の使用を禁ずるものである。また、後者によれば、カバーによってハンドルに接触できず、該カバーは施錠によって取り外しができないため、盗水を防止することができるというものである。
【０００３】
【発明が解決しようとする課題】
しかしながら、上述した何れの従来技術も完全な盗水防止は期しがたかったのである。即ち、前者によれば、結合部に応じたツールを偽造することで弁軸を容易に操作でき、しかも当該結合部の形状は同機種において同じであるため、同一偽造ツールで同機種の止水栓全てから盗水可能となるといった課題がある。また、後者によれば南京錠をペンチ等で切断することによって容易にカバーが取り外されるという課題がある。
【０００４】
ところで、弁の操作は閉から開だけでなく、開から閉への不用意な操作も防止する必要がある。即ち、稼働中のプラントでは、冷却水を確保する目的等から、常時、水栓を開状態にしておく必要があるが、これを不用意に閉状態にすれば、プラントが停止したり故障したりするおそれがある。また、病院でも常時、水栓を開状態にしておかなければ患者の生命に危機をもたらすこともある。
【０００５】
本発明はこうした課題を解決するもので、その目的とするところは、外部からは容易に開閉操作をできないようにした止水栓を提供することである。
【０００６】
【課題を解決するための手段】
上述した目的を達成するために本発明では、弁体または／およびスピンドルにロック爪またはロック孔からなる係合手段を設けると共に、本体側には少なくとも閉弁位置において前記係合手段と係合可能に出入するプランジャを設けるという手段を用いた。この手段によれば、プランジャを突出して爪もしくは孔と係合させることにより弁体または／およびスピンドルの動きを規制し、少なくとも閉弁状態を維持し、この場合、盗水防止機能が得られる。もちろん、開弁位置においても同様の係合手段を採用すれば、不用意な閉弁操作は防止される。なお、開弁位置のみにおいて前記係合手段を採用することも可能であり、構造上、ロック爪またはロック孔の形成位置を開弁位置に変更するだけである。
【０００７】
請求項２では、スピンドル側本体にロック孔を設けると共に、スピンドルには閉弁位置または／および開弁位置において前記ロック孔に係合可能に出入するプランジャを設けるという手段を用いた。この手段も、ロック孔とプランジャの形成位置以外は、請求項１に係る発明と同じ作用を行う。
【０００８】
請求項３では、プランジャの施錠手段を設けた。従って、プランジャの出入操作は該施錠手段によって規制される。
【０００９】
そして、プランジャを施錠手段のロック・解除キーと連動して出入動作させるようにしたので、該キーによる操作によって閉弁または／および開弁をロックまたは解除を行うことができる。
【００１０】
【発明の実施の形態】
以下、添付した図面に従って本発明の最良の実施形態を説明する。図１は、本発明の第一実施形態を示したもので、１は本体、２は本体１の弁室に回転可能に収容されたボール弁、３は本体１の上部に一体に設けられたスピンドル側上部カバー、４は上部カバー３に回転可能に設けられたスピンドル（弁軸）である。スピンドル４の下端はボール弁２に連結され、該スピンドル４をその上端に取付けられるハンドルＨにより軸回転させることによって、ボール弁２を開閉操作するものである。こうした基本的な構成は従来の止水栓と何ら変わるところはない。
【００１１】
次に、同図中、５はスピンドル４の側面から軸半径方向に突設したロック爪であり、６は弁制御機構である。該弁制御機構６は、上部カバー３に一体的に設けられた横向きのハウジング７と、該ハウジング７に収容された施錠部８とからなる。施錠部８は、図２に示したように、その後端８ａに鍵穴９が形成されている。そして、該鍵穴９にロック・解除キー１０を差し込み、該キー１０を回転させることによって、プランジャ１１をスピンドル４に向かって当該軸と直交する方向に出入可能に操作するものである。こうしたキー１０の操作によってプランジャ１１は、図３に示したように、ロック爪５と干渉する位置まで突出し、スピンドル４の軸回転を規制する。一方、キー１０をこれとは逆の方向に回転させれば、プランジャ１１は施錠部８側に後退し、ロック爪５との干渉が解除され、スピンドル４の軸回転を許容する。
【００１２】
このように第一実施形態に係る止水栓によれば、キー１０を保有する者だけがスピンドル４の回転ロックおよびその解除をでき、これ以外の者による不正な開閉弁操作を回避することができる。また、プランジャ１１は止水栓に内蔵されているため、外部からこれを操作することはできない。また、本実施形態では上部カバー３およびハウジング７を本体１と一体成型したので、堅牢さが増し、外部からの衝撃にも耐えうる構造とすることができる。ただし、これらを別体に構成し、一体的に組み立てることであってもよい。
【００１３】
なお、この第一実施形態に関連する変形例としては、プランジャ１１との係合手段として、スピンドル４にはロック爪５の代わりに、閉弁位置または／および閉弁位置においてプランジャ１１に臨んで開口するロック孔を形成しておき、プランジャ１１を該ロック孔に出入可能とすることで、スピンドル４の回転を規制するものであってもよい。また、プランジャ１１による規制の対象もスピンドル４に限らず、ボール弁２であってもよいし、弁制御機構６をスピンドル４とボール弁２のそれぞれに設けることも可能である。プランジャ１１によりボール弁２の回転を規制する場合は、本体１に弁制御機構６を設け、ボール弁２には当該弁制御機構６のプランジャ１１と干渉または係合可能な位置にロック爪またはロック孔を形成すればよい。
【００１４】
続いて、図４は、本発明の第二実施形態を示したもので、基本的な構造が従来の止水栓と同じであることは第一実施形態と同じである。以下、この第二実施形態の特徴点に重点をおいて説明すると、先ず本体２０のスピンドル２３を収容する上部カバー２１には、図５に示したように、ロック孔２２が形成されている。一方、スピンドル２３には、図６に示したように、その閉弁位置において前記ロック孔２２に係合するプランジャ２４が出入可能に設けられている。該プランジャ２４はスピンドル２３の上端に連結された施錠部２５によって操作され、該施錠部２５の鍵穴２６は、図７に示したように、ハンドル２７の上端に形成されている。なお、図５、６において、２８は上部カバー２３に９０度の範囲で形成されたガイド溝、２９はスピンドル２３から常時突出するガイド片であって、ガイド溝２８によるガイド片２９の案内によりスピンドル２３を開閉操作に必要な９０度の範囲で軸回転させるためのものである。
【００１５】
この第二実施形態によれば、鍵穴２６にキー（図示なし）を差し込み、回すことによって、プランジャ２４が出入操作される。そして、閉弁位置においてキー操作し、プランジャ２４を上部カバー２１のロック孔２２に係合させることによって、スピンドル２３の回転操作、即ち開弁操作を規制することができることは第一実施形態と同じ作用効果を奏するものである。他方、この実施形態によれば、第一実施形態に比べて施錠部２５の外部への迫り出しがなく、省スペースであると共に、より破壊し難い構造である。
【００１６】
なお、この第二実施形態に関連する変形例としては、鍵穴２６はハンドル２７の上端に限らず、その側面または上部カバー２３の側面に設けることもできる。即ち、キーの差し込み方向とプランジャ２４の出入方向は、この実施形態のように９０度の関係にあってもよいし、両者方向を一致させることであってもよい。
【００１７】
さらに、何れの実施形態にも共通する変形例としては、止水の弁体はボール弁に限らず、他の弁体を用いてもよい。これに伴い、スピンドルもその軸回転を規制するだけでなく、上下動を規制するものであってもよい。さらに、施錠部のロック・解除機構はキーだけでなく、ダイヤルあるいはボタンによる暗証番号式であってもよい。この暗証番号式であっても、プランジャをバネの付勢力もしくは電気的に出入させることができ、他方、このような複雑な構造を採用しなくとも、プランジャの出入手段を別途が設けておき、該出入手段を施錠部によって規制すればよい。さらに、ハンドルをスピンドルに着脱自在に設けるという手段を採用すれば、ハンドルを取り外したとき水栓自体を操作できなくなるから、水栓の不正または不用意な操作をより確実に防止することができる。
【００１８】
【発明の効果】
以上説明したように、本発明によれば、弁体または／およびスピンドルの開閉を規制するプランジャは本体またはスピンドルに内蔵されるため、これを外部から操作することはできず、より高い盗水防止機能が得られる。また、プランジャの施錠手段を設けたので、このロック・解除キーを持たない者による不正な盗水行為は防止され、且つ、施錠手段を止水栓ごとに特有のものとすることで、そのキーも複数種類となるから、盗水管理が向上し、施錠手段を容易に解除できないようにすることもできる。また、全施錠手段に共通のマスターキーを使用することによって、管理者のキー選択の負担は大幅に軽減される。さらに、施錠手段のキー操作と連動してプランジャを出入動作させるようにしたので、盗水防止ロックおよび解除をキー操作だけで容易に行うことができる。なお、以上のことは開操作を規制する盗水防止時だけでなく、開状態にある弁を閉状態にする場合も共通する効果であり、この場合、本発明をプラントや病院に適用することによって安全性を維持することができる。
【図面の簡単な説明】
【図１】第一実施形態に係る水栓の開閉制御機構の側面視縦断面図
【図２】同、側面図
【図３】図１におけるＡ−Ａ線端面図
【図４】第二実施形態に係る水栓の開閉制御機構の正面視断面図
【図５】図４におけるＢ−Ｂ線端面図（開弁状態）
【図６】図４におけるＢ−Ｂ線端面図（閉弁状態）
【図７】ハンドルの平面図
【符号の説明】
１、２０　本体
２　ボール弁
３、２１　本体の上部カバー
４、２３　スピンドル
５　ロック爪
６　弁制御機構
７　ハウジング
８、２５　施錠部
９、２６　鍵穴
１０　ロック・解除キー
１１、２４　プランジャ
２２　ロック孔
２７　ハンドル
【図１】
2004011880.tif 000003
【図２】
2004011880.tif 000004
【図３】
2004011880.tif 000005
【図４】
2004011880.tif 000006
【図５】
2004011880.tif 000007
【図６】
2004011880.tif 000008
【図７】
2004011880.tif 000009